(57)【特許請求の範囲】
【請求項１】
洗面器の排水口に排水器具を取り付け、該排水器具の周側面部にオーバーフロー水の受口を開口すると共に、周側面部にオーバーフローアダプターを外嵌装着して二重筒構造とし、オーバーフローアダプターをオーバーフロー口へ連通接続した排水器具において、排水器具のオーバーフロー水受口の開口していない部分の周側壁の一つの幅Ｗをオーバーフローアダプターの流入口の内径Ｄよりも小さくし、且つ前記幅Ｗをオーバーフロー水受口の幅Ｈよりも小さくしたことを特徴とする排水器具。
【請求項２】
排水器具のオーバーフロー水受口の開口していない部分の周側壁の一つの幅Ｗが、オーバーフローアダプターの流入口の内径Ｄの１／２〜２／３である請求項１に記載の排水器具。
【発明の詳細な説明】
【０００１】
【発明の属する技術分野】
本発明は、洗面器の排水器具にオーバーフローアダプターを外嵌装着し、オーバーフローアダプターとオーバーフロー口とを連通接続してオーバーフロー水を排水器具内へ導入して排出するようにした排水器具に関するものである。
【０００２】
【従来の技術】
従来にあっては、図２に示すように、洗面器本体１の排水口２に排水器具３を取り付け、洗面ボール内の水を排水器具３及び図示しない排水トラップを通じて下水等へ排水するようにしている。また排水器具３が閉塞されたままの状態で湯水混合水栓等から水が出っ放しになると、洗面器から溢れて床等を濡らすため、洗面器本体１の上部側にオーバーフロー口４を開口している。そして、オーバーフロー口４に雄螺子部を備えたフランジ５を洗面器本体１の内側から挿通し、オーバーフローエルボ６の雌螺子部を螺着している。
【０００３】
一方、排水器具３の周側面には、図３に示すように、オーバーフロー水の受口７を開口し、更にその外周側にオーバーフローアダプター８を外嵌装着して二重筒構造としている。そして、オーバーフローエルボ６とオーバーフローアダプター８の流入口９側とを蛇腹ホース１０で連通接続し、オーバーフロー水をオーバーフロー口４のフランジ５からオーバーフローエルボ６、蛇腹ホース１０、オーバーフローアダプター８を通じて排水器具３内へ流入させ、下水等へ排出している。
【０００４】
【発明が解決しようとする課題】
ところが、従来のこのようなオーバーフロー水を受け入れる排水器具３にあっては、図４に示すように、オーバーフロー水の受口７が対向する位置に二個設けられており、その幅は排水器具３の外周のおよそ１／４である。そのため、同図の図（Ａ）に示すように、受口７とオーバーフローアダプター８の流入口９とが正常に向き合っている場合は、オーバーフロー水の流れは問題とはならないが、図（Ｂ）に示すように、受口７とオーバーフローアダプター８の流入口９との位置がズレた場合には、オーバーフロー水の排水器具３内への流入が悪くなり、洗面器から水が溢れだすという問題があった。またこれを避けるためには、排水器具３の取付作業と、オーバーフローアダプター８の取付作業とを慎重に行う必要があり、極めて煩わしいものであった。
【０００５】
【課題を解決するための手段】
本発明は従来の前記課題に鑑みてこれを改良除去したものであって、排水器具の受口とオーバーフローアダプターの流入口との位置合わせをせずとも、オーバーフロー水の流れのよい排水器具を提供せんとするものである。
【０００６】
而して、前記課題を解決するために本発明が採用した請求項１の手段は、洗面器の排水口に排水器具を取り付け、該排水器具の周側面部にオーバーフロー水の受口を開口すると共に、周側面部にオーバーフローアダプターを外嵌装着して二重筒構造とし、オーバーフローアダプターをオーバーフロー口へ連通接続した排水器具において、排水器具のオーバーフロー水受口の開口していない部分の周側壁の一つの幅Ｗをオーバーフローアダプターの流入口の内径Ｄよりも小さくし、且つ前記幅Ｗをオーバーフロー水受口の幅Ｈよりも小さくしたことを特徴とする排水器具である。
この発明によれば、排水器具のオーバーフロー水受口の開口していない部分の周側壁の一つの幅Ｗと、オーバーフローアダプターの流入口の内径Ｄと、オーバーフロー水受口の幅Ｈとの関係を、Ｗ＜Ｄ，Ｗ＜Ｈとしており、Ｗの幅を有する周側壁の一つがいずれの位置にあっても、流入口の内径Ｄより大きくなることはなく、オーバーフロー水の排水器具内への流れが悪くなるようなことはなく、洗面器からオーバーフロー水が溢れ出るというようなことはない。
【０００７】
本発明が採用した請求項２の手段は、排水器具のオーバーフロー水受口の開口していない部分の周側壁の一つの幅Ｗが、オーバーフローアダプターの流入口の内径Ｄの１／２〜２／３である請求項１に記載の排水器具である。
またこの発明では、周側壁の一つの幅Ｗを、オーバーフローアダプターの流入口の内径Ｄの１／２〜２／３としている。そのため、周側壁の位置がどの位置にあっても、流入口と受口とが向き合って合致する部分の幅が、ミニマムで流入口の内径の１／３を確保することができ、オーバーフロー水の十分な流れを確保することが可能である。
【０００８】
【発明の実施の形態】
以下に、本発明の構成を図面に示す発明の実施の形態に基づいて説明すると次の通りである。なお、従来の場合と同一符号は同一部材である。図１は本発明の一実施の形態に係るものであり、図（Ａ）及び図（Ｂ）はそれぞれ排水器具３のオーバーフロー水受口１１の開口していない部分の周側壁１２の位置が違う場合を説明するための排水器具３の横断平面図である。同図に示す如く、この実施の形態にあっては、排水器具３のオーバーフロー水受口１１を合計四個設け、受口１１の開口していない部分の排水器具３の周側壁１２の幅Ｗを、オーバーフローアダプター８の流入口９の内径Ｄよりも小さくなるように、Ｗ＜Ｄの寸法関係にしている。また前記周側壁１２の幅Ｗを、オーバーフロー水受口１１の幅Ｈよりも小さくなるように、Ｗ＜Ｈの寸法関係にしている。これらの寸法関係は、好ましくは、周側壁１２の幅Ｗが、流入口９の内径Ｄの１／２〜２／３の範囲にあればよい。
【０００９】
このように、排水器具３のオーバーフロー水受口１１の開口していない部分の周側壁１２の一つの幅Ｗと、オーバーフローアダプター８の流入口９の内径Ｄとの関係をＷ＜Ｄとし、また前記周側壁１２の一つの幅Ｗと、オーバーフロー水受口１１の幅Ｈとの関係を、Ｗ＜Ｈとすることにより、Ｗの幅を有する周側壁１２の一つがいずれの位置にあっても、流入口９の内径Ｄより大きくなることはなく、オーバーフロー水の排水器具３内への流れが悪くなるようなことはなく、洗面器からオーバーフロー水が溢れ出るというようなことはない。
【００１０】
また周側壁１２の一つの幅Ｗを、オーバーフローアダプター８の流入口９の内径Ｄの１／２〜２／３としている。そのため、周側壁１２の位置がどの位置にあっても、流入口９と受口１１とが向き合って合致する部分の幅Ｘが、ミニマムで流入口９の内径の１／３を確保することができ、オーバーフロー水の排水器具３内への流入をし易くし、十分な流れを確保することが可能である。
【００１１】
【発明の効果】
以上説明したように本発明にあっては、排水器具のオーバーフロー水受口の開口していない部分の周側壁の一つの幅Ｗと、オーバーフローアダプターの流入口の内径Ｄと、オーバーフロー水受口の幅Ｈとの関係を特定している。これにより、Ｗの幅を有する周側壁の一つがいずれの位置にあっても、流入口の内径Ｄより大きくなることはなく、オーバーフロー水の排水器具内への流れを良くすることができ、洗面器からオーバーフロー水が溢れ出るというようなことはない。
【図面の簡単な説明】
【図１】本発明の一実施の形態に係るものであり、図（Ａ）及び図（Ｂ）はそれぞれ排水器具のオーバーフロー水受口の開口していない部分の周側壁の位置が違う場合を説明するための排水器具の横断平面図である。
【図２】従来のオーバーフロー水の排水構造を示す洗面器の縦断面図である。
【図３】従来の排水器具を示す縦断面図である。
【図４】従来の排水器具を示すものであり、図（Ａ）及び図（Ｂ）はそれぞれ排水器具のオーバーフロー水受口の開口していない部分の周側壁の位置が違う場合を説明するための排水器具の横断平面図である。
【符号の説明】
１…洗面器本体、２…排水口、３…排水器具、４…オーバーフロー口、５…オーバーフローフランジ、６…オーバーフローエルボ、７…オーバーフロー水受口、８…オーバーフローアダプター、９…流入口
【図１】
0003593628.tif 000002
【図２】
0003593628.tif 000003
【図３】
0003593628.tif 000004
【図４】
0003593628.tif 000005